(57)【要約】      （修正有）【課題】１つの流路に空気を流通させるだけで光源及び電池の放熱を確実かつ効率よく行うことができる照明装置を提供する。【解決手段】撮影用の照明光を射出する照明装置１であって、ファン２３を駆動させることにより、第１収容部３と第２収容部５とを備えた筐体外から電池収容室１１内への通気のための通気孔となる第１通気孔１５から、第１収容部３内へ流入されて電池収納部１１内を流通した後で、第１収容部３内から第２収容部５内へ空気を流入せしめる第２通気孔１７から第２収容部５内へ流入して、第２収納部５内の電子部品１９が実装されている基板２１の周囲を流通し、第２収容部５の一部に設けられ、第２収容部５内から筐体外への通気のための通気孔となる第３通気孔２５を介して筐体外へ流出する流路、またはこれとは真逆の流路を辿って空気が流通するように構成される。【選択図】図２
2010186641.tif 000002
【特許請求の範囲】
【請求項１】
撮影用の照明光を射出する照明装置であって、
電子部品が実装されている基板と、
前記電子部品への給電を行う電池を収納する電池収納室と、
前記電池収納室を収容する第１収容部と、該第１収容部に隣接し且つ前記基板を収容する第２収容部とを備えた筐体と、
前記第１収容部の一部に設けられ、前記筐体外から該第１収容部内の前記電池収容室内への通気または該電池収納室内から前記筐体外への通気のための通気孔となる第１通気孔と、
前記第１収容部と前記第２収容部との境界近傍に設けられ、該第２収容部内から該第１収容部内へ空気を流入せしめ、または前記第１収容部内から該第２収容部内へ空気を流入せしめる第２通気孔と、
前記第２収容部の一部に設けられ、前記筐体外から該第２収容部内への通気または該第２収容部内から該筐体外への通気のための通気孔となる第３通気孔と、
空気を流通させるファンと、を備え、
前記ファンを駆動させることにより、前記空気が、前記第１通気孔から前記第１収容部内へ流入されて前記電池収納部内を流通した後で、引き続き前記第２通気孔から前記第２収容部内へ流入して該第２収納部内の前記基板の周囲を流通し、そして最後に前記第３通気孔を介して前記筐体外へ流出する流路、またはそれとは真逆の流路を辿って流通するように構成されていることを特徴とする照明装置。
【請求項２】
前記ファンの駆動を制御する制御部を備え、
前記電気部品は、前記照明光を射出する光源を含み、
前記制御部は、前記光源からの前記照明光の射出動作に応じて、前記ファンを駆動させることを特徴とする請求項１記載の照明装置。
【請求項３】
前記制御部は、前記照明光の射出を開始したときに前記ファンの駆動を開始させ、前記照明光の射出を終了したとき、または該射出を終了してから所定時間経過した後に前記ファンの駆動を終了させることを特徴とする請求項２記載の照明装置。
【請求項４】
前記光源または該光源の近傍の温度を検出する光源用温度検出部を備え、
前記制御部は、前記光源用温度検出部の検出結果に基づいて、前記ファンの駆動を制御することを特徴とする請求項２または請求項３記載の照明装置。
【請求項５】
前記電池または該電池の近傍の温度を検出する電池用温度検出部と、
前記ファンの回転方向を切り換える切換部と、を備え、
前記制御部は、前記光源用温度検出部及び前記電池用温度検出部の検出結果に基づいて、前記切換部による前記ファンの回転方向の切換えを制御することを特徴とする請求項４記載の照明装置。
【請求項６】
前記基板は、前記電気部品が実装されている面の裏面に放熱部材を備え、
前記第２収容部内を流通する空気は、前記放熱部材を含む空間を流通することを特徴とする請求項１〜請求項５の何れか一項に記載の照明装置。
【請求項７】
前記第１収容部は、前記電池収納室に設けられている前記電池の装填用の開口部を開閉可能な電池蓋を備え、
前記第１通気孔は、前記電池蓋に設けられていることを特徴とする請求項１〜請求項６の何れか一項に記載の照明装置。
【請求項８】
前記電池収納室は、その内部において、該内部に保持されている前記電池の周辺部に空気を流通させるための空間が設けられていることを特徴とする請求項１〜請求項７の何れか一項に記載の照明装置。
【請求項９】
前記ファンは、前記第１通気孔、前記第２通気孔または前記第３通気孔の近傍に設けられていることを特徴とする請求項１〜請求項８の何れか一項に記載の照明装置。
【請求項１０】
前記電気部品は、電力を蓄積するコンデンサを含み、
前記コンデンサは、前記ファンが前記電池からの給電を受けられない場合において、前記ファンに対して給電することを特徴とする請求項１〜請求項９の何れか一項に記載の照明装置。
【発明の詳細な説明】
【技術分野】
【０００１】
本発明は、撮影用の照明光を射出する照明装置に関するものである。
【背景技術】
【０００２】
例えばビデオカメラや動画を記録することができるデジタルカメラ等を用いて動画を撮影する場合において、被写体を連続照明するのに用いられ、光源としてＬＥＤ（発光ダイオード）を備えた照明装置が存在する。ここで、ＬＥＤを用いて被写体を連続照明した場合には、電力は著しく消費し、ＬＥＤは発熱する。ＬＥＤの発熱による装置内の温度上昇は、ＬＥＤの性能を劣化させる。そこで、ＬＥＤを実装している基板のＬＥＤが実装されている面の裏面に放熱器を設けることにより、ＬＥＤからの発熱による装置内の温度上昇を防止する照明装置が開示されている（例えば、特許文献１参照）。
【先行技術文献】
【特許文献】
【０００３】
【特許文献１】特開２００６−３３１８５８号公報
【発明の概要】
【発明が解決しようとする課題】
【０００４】
しかしながら、特許文献１記載の照明装置においては、ファン等が取り付けられておらず、積極的な放熱を行うことができなかった。また、ＬＥＤからの発熱のみならず、ＬＥＤやその他電子部品に給電するための電池からも多くの発熱があり、電池の液漏れや破裂の危険が生じるばかりでなく、装置本体の性能が劣化する。しかしながら、特許文献１記載の照明装置においては、電池の積極的な冷却を行うことができなかった。
【０００５】
本発明の目的は、１つの流路に空気を流通させるだけで光源及び光源への給電を行う電池の放熱を確実かつ効率よく行うことができる照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の照明装置は、撮影用の照明光を射出する照明装置（１）であって、電子部品（１９）が実装されている基板（２１）と、前記電子部品（１９，２３）への給電を行う電池（９）を収納する電池収納室（１１）と、前記電池収納室（１１）を収容する第１収容部（３）と、該第１収容部（３）に隣接し且つ前記基板（２１）を収容する第２収容部（５）とを備えた筐体（７）と、前記第１収容部（３）の一部に設けられ、前記筐体（７）外から該第１収容部（３）内の前記電池収容室（１１）内への通気または該電池収納室（１１）内から前記筐体（７）外への通気のための通気孔となる第１通気孔（１５）と、前記第１収容部（３）と前記第２収容部（５）との境界近傍に設けられ、該第２収容部（５）内から該第１収容部（３）内へ空気を流入せしめ、または前記第１収容部（３）内から該第２収容部（５）内へ空気を流入せしめる第２通気孔（１７）と、前記第２収容部（５）の一部に設けられ、前記筐体（７）外から該第２収容部（５）内への通気または該第２収容部（５）内から該筐体（７）外への通気のための通気孔となる第３通気孔（２５）と、空気を流通させるファン（２３）とを備え、前記ファン（２３）を駆動させることにより、前記空気が、前記第１通気孔（１５）から前記第１収容部（３）内へ流入されて前記電池収納部（１１）内を流通した後で、引き続き前記第２通気孔（１７）から前記第２収容部（５）内へ流入して該第２収納部（５）内の前記基板（２１）の周囲を流通し、そして最後に前記第３通気孔（２５）を介して前記筐体（７）外へ流出する流路、またはそれとは真逆の流路を辿って流通するように構成されていることを特徴とする。
【発明の効果】
【０００８】
本発明の照明装置によれば、１つの流路に空気を流通させるだけで光源及び光源への給電を行う電池の放熱を確実かつ効率よく行うことができる。
【図面の簡単な説明】
【０００９】
【図１】第１の実施の形態に係る照明装置の外観を示す図である。
【図２】第１の実施の形態に係る照明装置を構成する部品について説明するための図である。
【図３】電池蓋が開いている状態を説明するための図である。
【図４】他の第１通気孔の構成を示す図である。
【図５】他の空気を流通させるための空間について説明するための図である。
【図６】第１の実施の形態に係る照明装置の一部の構成を示す図である。
【図７】第１の実施の形態に係る照明装置の外観を示す背面図である。
【図８】第２の実施の形態に係る照明装置の一部の構成を示す図である。
【図９】第２の実施の形態に係る照明装置においてファンの駆動を制御する方法について説明するためのフローチャートである。
【図１０】第３の実施の形態に係る照明装置の一部の構成を示す図である。
【図１１】第３の実施の形態に係る照明装置のシステム構成を示すブロック図である。
【図１２】第３の実施の形態に係る照明装置においてファンの駆動を制御する方法について説明するためのフローチャートである。
【発明を実施するための形態】
【００１０】
以下、図面を参照して、本発明の第１の実施の形態に係る照明装置について説明する。図１は照明装置１の外観を示す図、図２は照明装置１を構成する部品について説明するための図である。照明装置１は、撮影用の照明光を射出し、例えばビデオカメラや動画記録可能なデジタルカメラ等の上部に図１及び図２に示す脚部２を用いて取り付けられ、ビデオカメラやデジタルカメラ等により動画撮影を行う際に、被写体を連続照明するために使用される。
【００１１】
照明装置１は、図１に示すように、照明装置１の後側に位置する第１収容部３、及び第１収容部３に隣接し照明装置１の前側に位置する第２収容部５からなる筐体７を備えている。また、照明装置１の前面には光透過部材２９が設けられており、光透過部材２９は第２収容部５に取り付けられている。光透過部材２９としては、後述するＬＥＤ１９（図２参照）からの光を透過する部材、例えば、透明なプラスティック、ガラス、レンズ等により構成されている。ＬＥＤ１９から射出された光は、光透過部材２９を透過して筐体７の外部に射出し、被写体を照明する。
【００１２】
第１収容部３は、図２に示すように、後述するＬＥＤ１９やファン２３等、電力を必要とする電子部品への給電を行う４本の電池９を収納する電池収納室１１を収容している。なお、電池９としては、４本に限らず１〜３本、５本以上、また一次電池に限らず二次電池を用いることもできる。また、第１収容部３には、電池収納室１１に設けられ、電池９を装填するための開口部１１ａを開閉可能な電池蓋１３が設けられている。図１においては電池蓋１３が閉じられている状態を示しており、図３においては電池蓋１３が開けられている状態を示している。
【００１３】
図１〜図３に示すように、電池蓋１３には、筐体７の外部から電池収納室１１内への通気のための通気孔であって、スリット状の開口部からなる第１通気孔１５が設けられている。なお、第１通気孔１５は電池蓋１３に設けられている必要はなく、例えば図４に示すように、第１通気孔１５の代わりに第１通気項１５´を第１収容部３に設けることもできる。
【００１４】
また、図２に示すように、電池収納室１１の内部には、その内部において保持されている電池９の周辺部に空気を流通させるための空間が設けられている。したがって、照明装置１（筐体７）の外側から第１通気孔１５及び開口部１１ａを通過して流入した空気は、電池収納室１１内のこの空間を流通する。空気を流通させるための空間としては、図２に示すような空間に限られず、電池９が保持されており、かつ電池９の周辺部に空気を流通させることができる空間を有するものであればよい。例えば、図５に示すような、電池収納室１１´の内壁面に所定間隔で設けられた突起部材５０により保持される電池９´の周辺部に空気を流通させるための空間（図中斜線で示す）が設けられた電池収納室１１´を備えることもできる。
【００１５】
また、第１収容部３と第２収容部５との境界近傍であって、電池収納室１１の後述する基板２１側の面には、第１収容部３（電池収納室１１）内から第２収容部５内へ空気を流通せしめる通気孔であって、矩形状の開口部からなる第２通気孔１７が設けられている。第２通気孔１７は、第１収容部３の開口部１１ａが設けられている面と反対側の面の近傍に設けられているため、第１通気孔１５を介して開口部１１ａから流入した空気は、電池収納室１１内の空間を略隈なく流通し、第２通気孔１７から流出する。
【００１６】
また、第２収容部５は、図２に示すように、照明光を射出する光源としての複数のＬＥＤ（発光ダイオード）１９及びその他の電子部品（図示せず）を実装した熱伝導性の高い基板２１、空気を流通させる２つのファン２３を収容する。なお、実装するＬＥＤ１９の数は、１つでもよく、装置本体が必要とする光出力等を考慮して決定される。また、ファン２３は、排気ファンであり、２つに限らず１つでも３つ以上でもよく、設置スペースやファンの大きさ等を考慮して決定される。また、ファン２３の代わりに、第１通気孔１５の近傍に吸気ファンを設けることもでき、第２通気孔１７の近傍に排気ファンまたは吸気ファンを設けることもできる。
【００１７】
また、第２収容部５のファン２３側の面には、第２収容部５内から筐体７の外部への通気のための通気孔であって、複数のスリットからなる円形状の第３通気孔２５が２つ設けられている。第３通気孔２５は、第２収容部５に基板２１及びファン２３を収容したとき、ファン２３の駆動により排気される空気が流出される位置に配置されている。なお、第３通気孔２５は、ファン２３に対応させて２つ設けられているが、１つでも３つ以上であってもよい。また、第１通気孔１５、第２通気孔１７及び第３通気孔２５は、スリット状、矩形状及び円形状以外の形状または網目状等の開口部により構成することもできる。
【００１８】
また、基板２１の、ＬＥＤ１９等が実装されている面の裏面には、多数のひれ状のフィンを備えた板状の放熱部材２７が取り付けられている。放熱部材２７は、ＬＥＤ１９から発せられ、基板２１に伝達される熱を放散する機能を有している。放熱部材２７は、装置が組み立てられた際、図６に示すように、電池収納室１１に対向して配置される。したがって、電池収納室１１内の空気は、第２通気孔１７から流出し、放熱部材２７を含む空間、即ち放熱部材２７が備える多数のフィンの間を流通し、ファン２３の駆動により第３通気孔２５から筐体７の外部へと流出する。なお、放熱部材は、基板２１の、ＬＥＤ１９等が実装されている面に取り付けることもできる。
【００１９】
図７は、照明装置１の外観を示す背面図である。図７に示すように、照明装置１は、装置の電源のオンオフを行う電源ボタン３１、ファンの回転のオンオフを行うファン駆動ボタン３３、各種設定を行うための設定ボタン３５、設定メニュー等を表示する背面モニタ３７を備えている。
【００２０】
照明装置１では、ファン駆動ボタン３３を押下することにより、ファン２３の回転のオンオフを手動で行うことができる。また、電源ボタン３１を押下することにより照明装置１の電源がオンされ、ＬＥＤ１９が点灯を開始したときに、ファン２３の回転を自動で開始するよう設定することもできる。この場合には、ＬＥＤ１９が消灯したときに、または、ＬＥＤ１９が消灯してから所定時間（例えば１０秒間）経過した後に、ファン２３の回転を自動で停止するよう設定する。ファン２３の自動制御方法及び所定時間等は、設定ボタン３５を押下することにより背面モニタ３７に表示される設定メニューから設定することができる。
【００２１】
ファン２３が回転を開始すると、筐体７の外部の空気が第１通気孔１５から電池収納室１１内へ流入し、電池収納室１１内に設けられた空間を流通し、各電池９を冷却する。そして、電池収納室１１内の空気が第２通気孔１７から第２収容部５内へ流入して放熱部材２７が備える多数のフィンの間、即ち基板２１の周囲を流通し、ＬＥＤ１９、基板２１及び放熱部材２７を冷却する。そして最後に、放熱部材２７の多数のフィンの間を流通した空気がファン２３及び第３通気孔２５を介して筐体７の外部へと流出する。
【００２２】
第１の実施の形態に係る照明装置１によれば、第１通気孔１５、電池収納室１１内、第２通気孔１７、放熱部材２７のフィンの間、ファン２３、及び第３通気孔２５を通過する１つの流路に空気を流通させるだけで、発熱するＬＥＤ１９及び電池９の放熱を確実かつ効率よく行うことができる。したがって、照明装置１を高精度に稼動させることができ、かつ照明装置１の長寿命化を図ることができる。
【００２３】
次に、本発明の第２の実施の形態に係る照明装置について説明する。なお、第２の実施の形態に係る照明装置は、ＬＥＤ温度センサ４０（図８参照）を備えているが、その他の点では第１の実施の形態に係る照明装置１と同一の構成を有している。したがって、第２の実施の形態に係る照明装置においては、第１の実施の形態に係る照明装置１と同一の構成についての説明を省略し、同一の構成には同一の符号を用いて説明を行う。
【００２４】
図８は、第２の実施の形態に係る照明装置１の一部の構成を示す図である。図８に示すように、照明装置１は、温度検出を行うＬＥＤ温度センサ４０を備えている。ＬＥＤ温度センサ４０は、ＬＥＤ１９の近傍であって基板２１上に取り付けられており、ＬＥＤ１９の温度を検出する。ＬＥＤ温度検出センサ４０による検出結果は、図示しない制御部に対して出力され、制御部は、検出結果に基づいて、ファン２３の駆動を制御する。
【００２５】
図９は、第２の実施の形態に係る照明装置１において、ファン２３の駆動を制御する方法について説明するためのフローチャートである。
【００２６】
まず、制御部は、照明装置１の電源がオンされた後、図示しない操作部を介してユーザーからＬＥＤ１９の点灯指示がなされた場合、または図示しない測光センサ等による検出結果に基づいてＬＥＤ１９を点灯すべきと判断した場合には、ＬＥＤ１９を点灯させ（ステップＳ１０）、ファン２３の駆動を開始する（ステップＳ１１）。ファン２３が回転することにより、第１収容部３内及び第２収容部５内を空気が流通し、電池９及びＬＥＤ１９の放熱が行われる。
【００２７】
次に、制御部は、図示しない操作部を介してユーザーからＬＥＤ１９の消灯指示がなされた場合、または図示しない測光センサ等による検出結果に基づいてＬＥＤ１９を消灯すべきと判断した場合には、ＬＥＤ１９を消灯させ（ステップＳ１２）、ＬＥＤ温度センサ４０により検出されるＬＥＤ１９の温度を取得する（ステップＳ１３）。
【００２８】
次に、制御部は、ステップＳ１３において取得したＬＥＤ１９の温度が所定温度以上であるか否かを判別する（ステップＳ１４）。所定温度は、変更可能に構成されており、図示しないメモリ等に記憶されている。ＬＥＤ１９の温度が所定温度以上であると判別された場合には（ステップＳ１４、Ｙｅｓ）、制御部は、ステップＳ１３に戻り、ＬＥＤ１９の温度が所定温度より低くなるまで、ステップＳ１３及びＳ１４の処理を繰り返す。即ち、ファン２３の駆動を継続する。そして、ＬＥＤ１９の温度が所定温度より低いと判別された場合には（ステップＳ１４、Ｎｏ）、制御部は、ファン２３の駆動を停止する（ステップＳ１５）。
【００２９】
第２の実施の形態に係る照明装置によれば、第１通気孔１５、電池収納室１１内、第２通気孔１７、放熱部材２７のフィンの間、ファン２３、及び第３通気孔２５を通過する１つの流路に空気を流通させるだけで、発熱するＬＥＤ１９及び電池９の放熱を効率よく行うことができる。また、ＬＥＤ１９が消灯した後においてもＬＥＤ１９が所定温度より低くなるまでファン２３の駆動を継続するため、ＬＥＤ１９の放熱を確実に行うことができる。したがって、照明装置１を高精度に稼動させることができ、かつ照明装置１の長寿命化を図ることができる。
【００３０】
次に、本発明の第３の実施の形態に係る照明装置について説明する。なお、第３の実施の形態に係る照明装置は、電池温度センサ４２（図１０参照）及び回転方向切換部４４（図１１参照）を備えているが、その他の点では第２の実施の形態に係る照明装置１と同一の構成を有している。したがって、第３の実施の形態に係る照明装置においては、第２の実施の形態に係る照明装置１と同一の構成についての説明を省略し、同一の構成には同一の符号を用いて説明を行う。
【００３１】
図１０は、第３の実施の形態に係る照明装置１の一部の構成を示す図である。図１０に示すように、照明装置１は、温度検出を行う電池温度センサ４２を備えている。電池温度センサ４２は、電池９の近傍であって電池収納部１１の基板２１側の面に取り付けられており、電池９の温度を検出する。なお、電池温度センサ４２は、電池収納部１１上に付着することもでき、または電池収納部１１上に凹部を設け、その凹部に埋め込むこともできる。
【００３２】
図１１は、第３の実施の形態に係る照明装置１のシステム構成を示すブロック図である。図１１に示すように、照明装置１は、ファン２３の回転方向を切り換える回転方向切換部４４、ファン２３の回転方向の切換え及びファン２３の駆動等を制御する制御部４６を備えている。回転方向切換部４４は、ファン２３の回転方向を、設定されている極性を反対に設定することにより、時計まわりから反時計まわりへ、反時計まわりから時計まわりへ切り換える。なお、この実施の形態では、時計まわりを正転方向、反時計まわりを逆転方向とし、ファン２３が正転方向に回転すると排気ファンとして、逆転方向に回転すると吸気ファンとして機能するものとする。
【００３３】
ファン２３が正転方向に回転し、排気ファンとして機能すると、空気は、第１及び第２の実施の形態に係る照明装置における空気の流路と同様の流路を辿って流通する。一方、ファン２３が逆転方向に回転し、吸気ファンとして機能すると、空気は、第１及び第２の実施の形態に係る照明装置における空気の流路と真逆の流路を辿って流通する。即ち、筐体７の外部の空気が第３通気孔２５及びファン２３から第２収容部５内へ流入し、放熱部材２７が備える多数のフィンの間、即ち基板２１の周囲を流通し、ＬＥＤ１９、基板２１及び放熱部材２７を冷却する。そして、第２収容部５内の空気が第２通気孔１７から電池収納室１１内へ流入して、電池収納室１１内に設けられた空間を流通し、各電池９を冷却する。そして最後に、電池収納室１１内を流通した空気が第１通気孔１５を介して筐体７の外部へと流出する。
【００３４】
また、図１１に示すように、制御部４６にはＬＥＤ温度センサ４０及び電池温度センサ４２が接続されており、ＬＥＤ温度センサ４０及び電池温度センサ４２は各検出結果を制御部４２に対して出力する。
【００３５】
図１２は、第３の実施の形態に係る照明装置１において、ファン２３の駆動を制御する方法について説明するためのフローチャートである。
【００３６】
まず、制御部４６は、図８に示すステップＳ１０と同様に、ＬＥＤ１９を点灯させ（ステップＳ２０）、ファン２３の回転方向を正転方向に設定する（ステップＳ２１）。ファン２３の回転方向が逆転方向に設定されている場合には、制御部４６は回転方向切換部４４に対して制御信号を出力し、回転方向切換部４４はファン２３の回転方向を正転方向に切換える。次に、制御部４６は、ファン２３の駆動を開始する（ステップＳ２２）。ファン２３が回転することにより、電池収納室１１内から第２収容部５内へ空気が流通し、電池９及びＬＥＤ１９の放熱が行われる。
【００３７】
次に、制御部４６は、図９に示すステップＳ１２と同様にＬＥＤ１９を消灯させる前に（ステップＳ２３、Ｎｏ）、ファン２３が回転を開始してから所定時間が経過したか否かを判別する（ステップＳ２４）。所定時間は変更可能に構成されており、図示しないメモリ等に記憶されている。ステップＳ２４において所定時間が経過したと判別された場合には（ステップＳ２４、Ｙｅｓ）、制御部４６は、ＬＥＤ温度センサ４０により検出されるＬＥＤ１９の温度、及び電池温度センサ４２により検出される電池９の温度を取得する（ステップＳ２５）。そして、ステップＳ２５において取得したＬＥＤ１９の温度及び電池９の温度を比較する（ステップＳ２６）。ステップＳ２６においてＬＥＤ１９の温度が電池９の温度より高いという比較結果が得られた場合には、制御部４６は、電池収納室１１内から第２収容部５内へ空気を流通させるため、ファン２３を正転方向に回転駆動させることを決定する。即ち、高い温度を有するＬＥＤ１９等を冷却することにより空気の温度も上昇し、その空気を電池収納室１１内に流通させたとしても電池９を冷却する効果を期待することができないため、まず比較的温度の低い電池９を冷却し、次にＬＥＤ１９等を冷却するように、空気の流通方向を決定する。
【００３８】
一方、ステップＳ２６においてＬＥＤ１９の温度が電池９の温度より低いという比較結果が得られた場合には、制御部４６は、第２収容部５内から電池収納室１１へ空気を流通させるため、ファン２３を逆転方向に回転駆動させることを決定する。即ち、高い温度を有する電池９を冷却することにより空気の温度も上昇し、その空気を第２収容部５内に流通させたとしてもＬＥＤ１９等を冷却する効果を期待することができないため、まずＬＥＤ１９等を冷却し、次に電池９を冷却するように、空気の流通方向を決定する。
【００３９】
次に、制御部４６は、ファン２３の回転方向を切り換える必要があるか否かを判別する（ステップＳ２７）。即ち、ファン２３を正転方向から逆転方向へ、または逆転方向から正転方向へ切り換える必要がある場合には（ステップＳ２７、Ｙｅｓ）、制御部４６は回転方向切換部４４に対して制御信号を出力し、回転方向切換部４４はファン２３の回転方向を切換える（ステップＳ２８）。一方、ステップＳ２４において所定時間が経過していないと判別された場合（ステップＳ２４、Ｎｏ）、またはステップＳ２７においてファン２３の回転方向を切り換える必要がない場合（ステップＳ２７、Ｎｏ）には、制御部４６は、ステップＳ２３に戻り、ＬＥＤ１９を消灯させるまでステップＳ２３〜Ｓ２８の処理を繰り返す。
【００４０】
次に、制御部４６は、図９に示すステップＳ１２と同様にＬＥＤ１９を消灯させた場合には（ステップＳ２３、Ｙｅｓ）、ＬＥＤ温度センサ４０により検出されるＬＥＤ１９の温度及び電池温度センサ４２により検出される電池９の温度を取得する（ステップＳ２９）。そして、ステップＳ２９において取得したＬＥＤ１９の温度及び電池９の温度の少なくとも一方が所定温度以上であるか否かを判別する（ステップＳ３０）。所定温度は、変更可能に構成されており、図示しないメモリ等に記憶されている。ＬＥＤ１９の温度及び電池９の温度の少なくとも一方が所定温度以上であると判別された場合には（ステップＳ３０、Ｙｅｓ）、制御部４６は、ステップＳ２９に戻り、ＬＥＤ１９及び電池９の温度が所定温度より低くなるまでファン２３の駆動を継続する。そして、ＬＥＤ１９及び電池９の温度が所定温度より低いと判別された場合には（ステップＳ３０、Ｎｏ）、制御部４６は、ファン２３の駆動を停止する（ステップＳ３１）。
【００４１】
第３の実施の形態に係る照明装置によれば、ファン２３の回転方向を切り換えることができるため、第１通気孔１５、電池収納室１１内、第２通気孔１７、放熱部材２７のフィンの間、ファン２３、及び第３通気孔２５を通過する１つの流路またはそれとは真逆の流路を辿って空気を流通させることができ、発熱するＬＥＤ１９及び電池９の放熱を効率よく行うことができる。また、ＬＥＤ１９及び電池９の温度を検出し、比較することができるため、温度の低い方から高い方へと空気の流路を切り換えることができ、ＬＥＤ１９及び電池９の放熱を確実かつ効率よく行うことができる。したがって、照明装置１を高精度に稼動させることができ、かつ照明装置１の長寿命化を図ることができる。
【００４２】
なお、第２及び第３の実施の形態においては、ＬＥＤ１９が点灯を開始した後、ファン２３の駆動を開始しているが、ＬＥＤ１９（または電池９）の温度が所定温度まで上昇してからファン２３の駆動を開始することもできる。また、ＬＥＤ１９の点灯及び消灯にかかわらず、ＬＥＤ１９（または電池９）の温度が所定温度以上であるか否かの判別結果に基づいて、ファン２３の駆動を制御することもできる。
【００４３】
また、上述の各実施の形態においては、ファン２３は電池９から給電を受けて駆動しているが、電池９が照明装置１から取り出された場合または電池９の残電圧が少なくなった場合等、ファン２３が電池９からの給電を受けられない場合において、例えばファン２３に対してのみ給電を行うための電池（一次電池または二次電池等）を搭載しておくこともできる。また、例えば電力を蓄積するコンデンサ等を備え、ファン２３が電池９からの給電を受けられない場合において、ファン２３がコンデンサ等から給電を受ける構成にすることもできる。これらの場合には、例えば電池９が装填されていない場合等、電池９の状態に関係なく、ファン２３を駆動させることができる。なお、コンデンサ等から給電を受ける場合には、降圧型のＤＣ−ＤＣコンバータ等を用いてファン２３の駆動に適した電圧値に変換する。また、コンデンサは、ファン２３に対してのみ給電するためのものでもよく、他の電子部品に対しても給電を行う共有物であってもよい。
【００４４】
また、上述の各実施の形態においては、ＬＥＤ等の固体光源を複数備えた照明装置を例に挙げて説明しているが、例えばキセノン管等により構成される閃光部を備えた照明装置にも本発明を適用することができる。この場合には、ＬＥＤ等が実装されている基板に代えて、電源の電圧を昇圧するための昇圧回路等が実装されている基板周辺部に空気が流通する流路を形成する。
【符号の説明】
【００４５】
１…照明装置、３…第１収容部、５…第２収容部、７…筐体、９…電池、１１…電池収納室、１３…電池蓋、１５…第１通気孔、１７…第２通気孔、１９…ＬＥＤ、２１…基板、２３…ファン、２５…第３通気孔、２７…放熱部材、２９…光透過部材、４０…ＬＥＤ温度センサ、４２…電池温度センサ、４４…回転方向切換部，４６…制御部。
【図１】
2010186641.tif 000003
【図２】
2010186641.tif 000004
【図３】
2010186641.tif 000005
【図４】
2010186641.tif 000006
【図５】
2010186641.tif 000007
【図６】
2010186641.tif 000008
【図７】
2010186641.tif 000009
【図８】
2010186641.tif 000010
【図９】
2010186641.tif 000011
【図１０】
2010186641.tif 000012
【図１１】
2010186641.tif 000013
【図１２】
2010186641.tif 000014